(57)【要約】【課題】開閉する物体は機能的、又は意匠的な面が重視され、多様な形状をするようになり、よってその形状などからくる理由により、開閉する物体の外力は、開閉する物体を初期位置から目的とする位置まで回動するに連れて一定、又は単純増加傾向を示さない場合が数多く見られるようになってきた。このとき従来までのダンパー装置を用いて緩衝作用を発生させた場合、抵抗力と摩擦抵抗によって、開閉する物体を初期位置から目的とする位置までスムーズに回動することが困難となる。【解決手段】外力が最大となる角度から、目的とする位置までの区間に、作動油の移動量を調整する第２の流路１ｃを設けたダンパー装置によって、開閉する物体を、目的とする位置の手前で停止、又は脈動しながら回動することなく、初期位置から目的とした位置までスムーズに回動することが可能となる。【選択図】　　図１
2004068901.tif 000002
【特許請求の範囲】
【請求項１】
ケーシングと、
当該ケーシング内に仕切などで仕切られる少なくとも１つ以上のシリンダー室と、
当該ケーシング内に回転自在となるよう挿入配設されている円柱状羽根軸と、
当該羽根軸のケーシングに対する相対的な回動によって、ケーシングの内周壁面を摺動可能となるように、当該羽根軸の外周にあってその径方向に突設した羽根と、
当該羽根により前記シリンダー室が縦割りに仕切られてなる二つ以上の室と、
当該室と室の間に設けられた第１の流路と、
当該各室に充填される作動油とを備え、
一回転方向への外力に対する抵抗力を、前記室から室へ前記第一の流路を伝って作動油を移動させることで得るダンパー装置の稼働状態において、
前記羽根が目的とする角度まで回動する以前に外力が減衰した場合、外力が最大となる角度から前記目的とする角度までの区間にわたり、作動油の移動量を調整する第２の流路を設けたことを特徴とするダンパー装置。
【請求項２】
前記作動油の移動量を調整する第２の流路を、ケーシングに設けたことを特徴とする、請求項１記載のダンパー装置。
【請求項３】
前記作動油の移動量を調整する第２の流路を、羽根軸に設けたことを特徴とする、請求項１記載のダンパー装置。
【発明の詳細な説明】
【０００１】
【発明の属する技術分野】
本発明は、作動油を用い、これを利用することにより一方向への外力に対する抵抗力を得るようにして、当該抵抗力による緩衝作用、即ち、制動力を必要とする開閉機構に係り、特に、開閉する物体の形状などからくる理由により、物体を初期位置から目的とする位置まで回動する間に、外力が増加傾向から減衰傾向へ変化するような挙動を示す場合に好適なダンパー装置に関する。
【０００２】
【従来の技術】
従来、この種のダンパー装置は、開閉する物体の特徴として、例えば便座の様な形状の場合、便座の座面と、回転中心位置とがほぼ一直線上、又は座面近傍に設けられているような形状の物体に用いられてきた。
【０００３】
上記のような回転する物体の形状の場合、一方向への外力は、図６に示す様に、開閉する物体を初期位置から目的とする位置まで回動するに連れて一定、又は増加傾向を示し、外力の最大値は、物体が目的とする位置にきたときに最大となる。
【０００４】
このような外力に対してのダンパー装置として、図８に示す様なダンパー装置において、十分にスムーズな回動が得られてきた。
【０００５】
【発明が解決しようとする課題】
しかし、今日、開閉する物体は機能的、又は意匠的な面が重視され、多様な形状をするようになり、開閉する物体の形状が、例えば便座の様な形状の場合、意匠的な理由から、回転中心が座面から離れた様な形状となってきた。
【０００６】
上記のような形状の場合、外力は図７に示す様に、開閉する物体を初期位置から目的とする位置まで回動するに連れて一定、又は単純増加傾向を示さず、初期位置から目的とする位置までの区間内で、外力が増加傾向から減衰傾向に移行する様な場合が数多く見られるようになってきた。
【０００７】
このような傾向、特に外力の最大値は、座面と回転中心位置が一直線上に有った場合には、物体が目的とする位置にきたときと一致するが、座面と回転中心位置が離れることに比例して、外力の最大値の位置は、目的とする位置から初期値の方向に移動し、減衰傾向区間が大きくなる。
【０００８】
このような開閉する物体において、図８に示す様な、従来までのダンパー装置を用いて緩衝作用を発生させた場合、外力と、作動油による抵抗力とダンパー装置自体の摩擦抵抗力との合力との差が、極端に小さくなるため、開閉する物体を初期位置から目的とする位置までスムーズに回動することが困難となってきた。
【０００９】
それは、開閉する物体を初期位置から目的とする位置まで回動する間の、外力が増加傾向を示す区間においては、外力が、作動油による抵抗力とダンパー装置自体の摩擦抵抗力との合力を、大きく上回るため、スムーズな回動を得ることは容易であるが、開閉する物体を初期位置から目的とする位置まで回動する間の、外力が減衰傾向を示す区間においては、外力と、作動油による抵抗力とダンパー装置自体の摩擦抵抗力との合力との差が、外力の最大値を境界に小さくなっていくため、回動が極端に遅くなる。
【００１０】
このとき、摩擦による抵抗力が動摩擦力から、静摩擦力に移行しやすくなり、結果として回転する物体が停止、又は停止と回動を小刻みに繰り返す様な脈動した回動をするなど、不安定な動きになり、使用者に動作不良等の不安を与え、使用感の悪い製品を提供するようなこととなる。
【００１１】
本発明は、上記課題を解決するためになされてもので、本発明の目的は開閉する物体を、初期位置から本来目的とする位置まで緩衝作用を発生させ、かつスムーズに回動させるダンパー装置を提供することにある。
【００１２】
【課題を解決するための手段】
上記目的を達成するために請求項１は、ケーシングと、当該ケーシング内に仕切などで仕切られる少なくとも１つ以上のシリンダー室と、当該ケーシング内に回転自在となるよう挿入配設されている円柱状羽根軸と、当該羽根軸のケーシングに対する相対的な回動によって、ケーシングの内周壁面を摺動可能となるように、当該羽根軸の外周にあってその径方向に突設した羽根と、当該羽根により前記シリンダー室が縦割りに仕切られてなる二つ以上の室と、当該室と室の間に設けられた第１の流路と、当該各室に充填される作動油とを備え、一回転方向への外力に対する抵抗力を、前記室から室へ前記第一の流路を伝って作動油を移動させることで得るダンパー装置の稼働状態において、前記羽根が目的とする角度まで回動する以前に外力が減衰した場合、外力が最大となる角度から前記目的とする角度までの区間にわたり、作動油の移動量を調整する第２の流路を設けたことを特徴とする、ダンパー装置によって、開閉する物体を、目的とする位置の手前で停止又は脈動しながら回動することなく、初期位置から目的とした位置までスムーズに回動することが可能となる。
【００１３】
請求項２記載の発明は、作動油の移動量を調整する第２の流路を、ケーシングに設けたことを特徴とする。したがって、流路の形成が容易に行える。
【００１４】
請求項３記載の発明は、作動油の移動量を調整する第２の流路を、羽根軸に設けたことを特徴とする。したがって、流路の形成が容易に行える。
【００１５】
【発明の実施の形態】
本発明を図１の実施例によって詳記する。ダンパー装置は、ケーシング１と、ケーシング１に突設した仕切１ｂによって仕切られる２つのシリンダー室Ａ，Ｂと、ケーシング内壁面１ａを摺動する一対の羽根２ａが設けられた羽根軸２と、この羽根軸２を上記のシリンダー室内にあって回転自在に保持する図示しない上部固定軸受、下部固定軸受と、上記の羽根２ａによってシリンダー室の内部が縦方向に仕切られることにより形成される二つの室Ａ１，Ａ２及びＢ１，Ｂ２と、室Ａ１と室Ａ２間、室Ｂ１と室Ｂ２間に設けられ、ケーシング１の内壁面１ａと羽根２ａの微小な隙間にて構成される第１の流路３と、作動油の移動量を調整する第２の流路１ｃと、これらの室に充填される作動油４によって構成される。
【００１６】
ここで、このダンパー装置が取り付けられる開閉体について詳記すると、本ダンパー装置は図３に示すように、例えば便座５の開閉軸部６に設けられ、この便座５は意匠性などの理由により、その形状は図９の様な前述した従来の形状とは異なり、座面ｄと回転軸中心ｂが離れた形状となる。
【００１７】
便座５を閉じようとする外力、すなわちここでは重力、によって便座５を閉じようとする力は、従来の形状である図９の形状である場合は、便座５の重心ａと回転軸中心ｂを結ぶ線ｃと、便座５の全閉時の座面ｄが、平行となるため、図６の様に、便座５が目的とする位置、ここでは便座全閉時の位置で、外力が最大値となった。
【００１８】
しかし、図３の様な、便座５の座面ｄと回転軸中心ｂが離れた形状となった場合は、重心位置ａと回転軸中心ｂを結ぶ線ｃと、便座５の全閉時の便座面ｄが平行とはならず、角度ｅを持つため、図７の様な外力となり、便座５を閉じようとする外力が、便座５の閉まり際で減衰傾向となる。
【００１９】
そして、外力の最大値は、図４の様に重心位置ａと回転軸中心ｂを結ぶ線ｃが水平となった時であり、このとき、外力の最大値となる便座５の開き角度は、重心位置ａと回転軸中心ｂを結ぶ線ｃと、便座全閉時の座面ｄのなす角度ｅとなる。
【００２０】
そこで、上記羽根２ａが、便座５の開き角度が角度ｅとなる位置近傍から、便座全閉位置での羽根２ａの位置までの区間に、作動油４の移動量を調整する第２の流路である凹溝１ｃをケーシング１に設ける。
【００２１】
このため、便座５が初期位置から角度ｅまでの区間においては、作動油４は室Ａ１，Ｂ１から室Ａ２，Ｂ２へ、羽根２ａとケーシング内壁面１ａの間の第１の流路３を通過して移動することでダンパー効果を得ていたが、便座５が角度ｅの位置から、便座全閉位置までの、外力が減衰傾向を示す区間においては、作動油４は室Ａ１，Ｂ１から室Ａ２，Ｂ２へ、羽根２ａとケーシング内壁面１ａの間の流路３と、作動油４の移動量を調整する第２の流路である凹溝１ｃの両者により移動することでダンパー効果を得ることとなる。
【００２２】
これにより、便座５が角度ｅの位置から便座全閉位置までの区間においては、作動油４の流量は、便座が初期位置から角度ｅまでの区間における流路３より多くなるため、ダンパー効果を軽減させる効果がある。
【００２３】
その結果、便座５が角度ｅから便座全閉位置までのダンパー装置による抵抗力を、外力の減衰に合わせて減少させることで、閉まり際から完全閉止までをスムーズに閉じることが可能となる。
【００２４】
また、作動油４の移動量を調整する第２の流路である凹溝１ｃを、ケーシング内壁面１ａに設けたことで、部品点数を増加させることなく、比較的容易に効果を得ることが可能となった。
【００２５】
この実施例では、図１に示す様に、ケーシング内壁面１ａに凹溝１ｃを設けることで、ダンパーによる抵抗力を減少させたが、この凹溝１ｃを図示しないケーシング上下部の内壁面に設けることでも同様の効果が得られる。
【００２６】
また、図５に記す実施例は、外力の最大値となる便座５の開き角度が、重心位置ａと回転軸中心ｂを結ぶ線ｃと、便座全閉時の座面ｄのなす角度ｅとなる、上記実施例の様な便座５のダンパー装置の開閉軸部６に用いられ、便座５の開き角度が角度ｅの位置から便座全閉位置までの区間において、ケーシング１に突設した仕切１ｂが、便座５の開き角度が角度ｅとなる位置近傍から、便座全閉位置での羽根の位置までの区間に、作動油の移動量を調整する第２の流路である凹溝２ｃを羽根軸２に設ける。
【００２７】
これにより、上記実施例１と同様の効果が得られ、かつ実施例１と同様に部品点数を増加させることなく、比較的容易に効果を得ることが可能となった。
【００２８】
【発明の効果】
本発明は、外力を与える物体の形状などからなる理由により、羽根が本来目的とする位置まで回動する以前に外力が減衰したとき、外力が最大となる角度から目的とする位置までにわたり、作動油の移動量を調整する第２の流路を設けたダンパー装置によって、開閉する物体を、目的とする位置の手前で停止、又は脈動しながら回動することなく、初期位置から目的とした位置までスムーズに回動することが可能となる。
また、この第２の流路をケーシング又は羽根軸に設けることで、別部材を加えるよりも比較的容易に上記効果を得ることができる。
【図面の簡単な説明】
【図１】本発明に係るダンパー装置の凹溝形状を実施例であり、便座にかかる外力が、増加傾向から、減衰傾向に移行する角度ｅ時のケーシングと羽根位置を示した横断断面図である。
【図２】本発明に係るダンパー装置の凹溝形状を示す実施例であり、便座が目的とする位置に達した時のケーシングと羽根位置を示した横断断面図である。
【図３】同上ダンパー装置における、外力を与える物体の一例である便座装置を示す側面説明図である。
【図４】同上ダンパー装置における、外力を与える物体の一例である便座装置を示し、外力が増加傾向から減衰傾向に変わる角度ｅ時の側面説明図である。
【図５】本発明に係るダンパー装置の凹溝形状を、羽根軸面に設けた実施例であり、ケーシングと羽根位置を示した横断断面図である。
【図６】ダンパー装置にかかる外力が、増加傾向から減衰傾向に変化する様を表した角度−外力線図である。
【図７】ダンパー装置にかかる外力が、増加のみを示す様を表した角度−外力線図である。
【図８】従来の一ダンパー装置を示した横断面図である。
【図９】従来の外力を与える物体の一例である便座装置を示す側面説明図である。
【符号の説明】
１　　ケーシング
１ａ　内周壁面
１ｂ　仕切
１ｃ　凹溝（第２の流路）
２　　羽根軸
２ａ　羽根
２ｃ　凹溝
３　　第１の流路
４　　作動油
５　　便座
６　　開閉軸部
Ａ　　室
Ｂ　　室
ａ　　便座重心位置
ｂ　　便座回転軸中心
ｃ　　便座重心位置と便座回転軸中心を結ぶ線
ｄ　　便座全閉時の便座面
ｅ　　便座にかかる外力が増加傾向から減衰傾向に移行する角度
【図１】
2004068901.tif 000003
【図２】
2004068901.tif 000004
【図３】
2004068901.tif 000005
【図４】
2004068901.tif 000006
【図５】
2004068901.tif 000007
【図６】
2004068901.tif 000008
【図７】
2004068901.tif 000009
【図８】
2004068901.tif 000010
【図９】
2004068901.tif 000011